(57)【要約】      （修正有）【課題】長尺の試験片を硬さ試験機の奥行き方向に設置して硬さ試験を実行することが可能な硬さ試験機を提供する。【解決手段】載置台３２、載置台３２の移動機構および入力表示部３９等から成る載置部５２と、圧子４１、対物レンズ４２、４３、レボルバーおよび接眼レンズ３６等から成る圧痕観察部５１とは、接続部５３により接続されている。この接続部５３には、長尺の試験片１００が通過可能な開口部５４が形成されている。【選択図】図４
0003179445.tif 000002
【実用新案登録請求の範囲】
【請求項１】
試験片を載置する載置台と、前記載置台を移動させる移動機構とを備えた載置部と、
前記試験片の表面に圧痕を形成するための圧子と、前記試験片の表面に形成された圧痕を観察するための対物レンズとを備えた圧痕観察部と、
前記載置部と前記圧痕観察部とを接続する接続部とを備え、
前記接続部には、前記試験片が通過可能な開口部が形成されていることを特徴とする硬さ試験機。
【請求項２】
請求項１に記載の硬さ試験機において、
前記開口部の幅は、前記載置台の幅よりも大きい硬さ試験機。
【請求項３】
請求項１または請求項２に記載の硬さ試験機において、
前記開口部の上端の位置は、前記圧子または前記対物レンズの下端部の位置よりも上である硬さ試験機。
【請求項４】
請求項１または請求項２に記載の硬さ試験機において、
前記開口部の下端の位置は、前記載置台が最も下降したときの載置台の上面の位置よりも下である硬さ試験機。
【考案の詳細な説明】
【技術分野】
【０００１】
この考案は、硬さ試験機に関する。
【背景技術】
【０００２】
図５は、例えば特許文献１に記載されたような、従来の硬さ試験機の正面図である。
【０００３】
この硬さ試験機は、テーブル１１と、このテーブル１１上に配置され試験片を載置する載置台１２とを備える。載置台１２は、試験片をＸ方向（図５における左右方向）およびＹ方向（図５における紙面に垂直な方向）に移動させるためのものである。この載置台１２には、試験片をＸ方向に移動させるためのマイクロメータ１３と、試験片をＹ方向に移動させるためのマイクロメータ１４とが付設されている。また、載置台１２は、昇降ハンドル１５の作用により昇降する構成となっている。
【０００４】
また、この硬さ試験機は、試験片の拡大画像を目視により観察するための接眼レンズ１６と、入力表示部１９とを備える。入力表示部１９は、タッチパネル付の液晶表示器であり、各種データを入力するための入力キーを表示するとともに、試験条件や計測結果などの各種データを表示する。
【０００５】
さらに、この硬さ試験機は、試験片に一定の試験力で押し込まれる圧子２１と、この圧子２１に対して試験力を付与するための図示を省略した負荷機構と、複数の対物レンズ２２、２３と、これらの圧子２１および対物レンズ２２、２３等を支持して回転するレボルバー２０とを備える。このレボルバー２０は、つまみ２６を操作することにより、鉛直方向を向く軸を中心に回転する。
【０００６】
上述した載置台１２や載置台１２を移動させる移動機構を備えた載置部と、圧子２１や対物レンズ２２、２３を備えた圧痕観察部とは、載置台１２に対する背面側において、接続部１８により接続されている。すなわち、圧子２１や対物レンズ２２、２３を備えた圧痕観察部は、接続部１８により支持されている。
【先行技術文献】
【特許文献】
【０００７】
【特許文献１】特開２０１１−２４７８４２号公報
【考案の開示】
【考案が解決しようとする課題】
【０００８】
このような硬さ試験機において、例えば、ボールねじ等の長尺部品の硬さを測定する必要がある場合がある。このとき、上述した従来の硬さ試験機においては、載置台１２や載置台１２を移動させる移動機構を備えた載置部と、圧子２１や対物レンズ２２、２３を備えた圧痕観察部とが、接続部１８により接続されていることから、載置部と圧痕観察部との間の試験空間の奥行き方向であるＹ方向（図５における紙面に垂直な方向）を長尺部品の長手方向とすることが不可能であった。このため、このような長尺部品に対して硬さ試験を行う場合には、載置部と圧痕観察部との間の試験空間の横方向であるＸ方向（図５における左右方向）を長尺部品の長手方向とする必要があった。
【０００９】
このような硬さ試験機においては、硬さ試験機の前後方向（奥行き方向）には他の機器が設置されることは少なく、比較的空間を確保しやすいが、硬さ試験機の横方向（左右方向）には他の機器が設置されることが多い。このため、長尺部品の長手方向を硬さ試験機の横方向に向けて設置して硬さ試験を行うことが困難であるという問題があった。
【００１０】
この考案は上記課題を解決するためになされたものであり、長尺の試験片を硬さ試験機の奥行き方向に設置して硬さ試験を実行することが可能な硬さ試験機を提供することを目的とする。
【課題を解決するための手段】
【００１１】
請求項１に記載の考案は、試験片を載置する載置台と、前記載置台を移動させる移動機構とを備えた載置部と、前記試験片の表面に圧痕を形成するための圧子と、前記試験片の表面に形成された圧痕を観察するための対物レンズとを備えた圧痕観察部と、前記載置部と前記圧痕観察部とを接続する接続部とを備え、前記接続部には、前記試験片が通過可能な開口部が形成されていることを特徴とする。
【００１２】
請求項２に記載の考案は、請求項１に記載の考案において、前記開口部の幅は、前記載置台の幅よりも大きい。
【００１３】
請求項３に記載の考案は、請求項１または請求項２に記載の考案において、前記開口部の上端の位置は、前記圧子または前記対物レンズの下端部の位置よりも上である。
【００１４】
請求項４に記載の考案は、請求項１または請求項２に記載の考案において、前記開口部の下端の位置は、前記載置台が最も下降したときの載置台の上面の位置よりも下である。
【考案の効果】
【００１５】
請求項１に記載の考案によれば、接続部に形成された開口部を利用することにより、長尺の試験片を硬さ試験機の奥行き方向に設置して硬さ試験を実行することが可能となる。
【００１６】
請求項２に記載の考案によれば、載置台の幅と同程度の幅を有する長尺の試験片を硬さ試験機の奥行き方向に設置して硬さ試験を実行することが可能となる。
【００１７】
請求項３に記載の考案によれば、試験片と圧子または対物レンズとが干渉することなく、長尺の試験片を硬さ試験機の奥行き方向に設置して硬さ試験を実行することが可能となる。
【００１８】
請求項４に記載の考案によれば、載置台の配置にかかわらず、長尺の試験片を硬さ試験機の奥行き方向に設置して硬さ試験を実行することが可能となる。
【図面の簡単な説明】
【００１９】
【図１】この考案に係る硬さ試験機の正面図である。
【図２】この考案に係る硬さ試験機の背面図である。
【図３】この考案に係る硬さ試験機の右側面図である。
【図４】この考案に係る硬さ試験機により長尺の試験片１００の硬さ試験を行う様子を示す斜視図である。
【図５】従来の硬さ試験機の正面図である。
【考案を実施するための形態】
【００２０】
以下、この考案の実施の形態を図面に基づいて説明する。図１は、この考案に係る硬さ試験機の正面図である。また、図２は、この考案に係る硬さ試験機の背面図である。また、図３は、この考案に係る硬さ試験機の右側面図である。さらに、図４は、この考案に係る硬さ試験機により長尺の試験片１００の硬さ試験を行う様子を示す斜視図である。
【００２１】
この硬さ試験機は、テーブル３１上部に配設された、試験片１００を載置するための載置台３２を備える。載置台３２は、試験片１００をＸ方向（図１における左右方向であり、図３における紙面に垂直な方向）およびＹ方向（図１における紙面に垂直な方向であり図３における左右方向）に移動させるためのものである。この載置台３２には、試験片１００をＸ方向に移動させるためのマイクロメータ３３と、試験片１００をＹ方向に移動させるためのマイクロメータ３４とが付設されている。また、載置台３２は、昇降ハンドル３５の作用により昇降する構成となっている。
【００２２】
テーブル３１の正面には、入力表示部３９が配設されている。この入力表示部３９は、タッチパネル式の液晶表示パネルから構成され、各種データを入力するための入力キーを表示するとともに、試験条件や計測結果などの各種データを表示する。この入力表示部３９は、入力手段および表示手段として機能する。
【００２３】
上述した載置台３２、載置台３２の移動機構および入力表示部３９等は、載置部５２を構成する。
【００２４】
また、この硬さ試験機は、試験片１００の表面の拡大画像を目視により観察するための接眼レンズ３６を備える。この接眼レンズ３６の側方には、接眼レンズ３６を利用して試験片１００を観察する際に、ゲージを移動させるために使用される一対のつまみ３８が配設されている。
【００２５】
さらに、この硬さ試験機は、試験片１００に一定の試験力で押し込まれる一対の圧子４１と、これらの圧子４１に対して試験力を付与するための図示を省略した負荷機構と、複数の対物レンズ４２、４３と、これらの圧子４１および対物レンズ４２、４３等を支持して回転するレボルバー４０（図１参照）とを備える。このレボルバー４０は、つまみ４６を操作することにより、鉛直方向を向く軸を中心に回転する。
【００２６】
なお、上述した一対の圧子４１のうちの一方は、例えば、試験片１００に対してビッカース硬さ試験を実行するためのものであり、その先端は四角錐形状となっている。一方、上述した一対の圧子４１のうちの他方は、例えば、試験片１００に対してヌープ硬さ試験を実行するためのものであり、その先端は菱形のピラミッド型形状となっている。
【００２７】
また、対物レンズ４２と対物レンズ４３とは、その倍率が互いに異なるものが使用される。そして、試験片１００に形成された圧痕のサイズにより、これらの対物レンズ４２、４３が選択的に使用される。なお、より多数の対物レンズをレボルバー４０に配設するようにしてもよい。
【００２８】
上述した圧子４１、対物レンズ４２、４３、レボルバー４０および接眼レンズ３６等は、圧痕観察部５１を構成する。
【００２９】
上述した載置台３２、載置台３２の移動機構および入力表示部３９等はから成る載置部５２と、圧子４１、対物レンズ４２、４３、レボルバー４０および接眼レンズ３６等から成る圧痕観察部５１とは、接続部５３により接続されている。すなわち、圧痕観察部５１は、接続部５３により支持されている。この接続部５３は、図３に示すように、側面視において略Ｃ型の形状を有する。そして、この接続部５３には、開口部５４が形成されている。
【００３０】
接続部５３に形成された開口部５４の幅、すなわちＸ方向の寸法は、載置台３２の幅（Ｘ方向の寸法）よりも大きくなっている。また、この開口部５４の上端の位置は、圧子４１または対物レンズ４２、４３の下端部の位置よりも上となっている。さらに、この開口部５４の下端の位置は、載置台３２が最も下降したときの載置台３２の上面の位置よりも下となっている。
【００３１】
以上のような構成を有する硬さ試験機において、例えばボールねじ等の長尺の試験片１００の硬さ試験を行う場合には、図４に示すように、載置部５２と圧痕観察部５１との間の試験空間の奥行き方向であるＹ方向を長尺の試験片１００の長手方向として、試験片１００を載置台３２上に設置する。このときには、長尺の試験片１００を、固定部材６０の作用により載置台３２上に固定する。
【００３２】
このときには、長尺の試験片１００に対して硬さ試験を行う場合であっても、この試験片１００を開口部５４を通過させることにより、載置部５２と圧痕観察部５１との間の試験空間の奥行き方向であるＹ方向を向けて載置台３２上に載置することが可能となる。このため、他の機器が設置されることは少なく比較的空間を確保しやすい硬さ試験機の前後方向（奥行き方向）の領域を有効に利用することが可能となる。
【００３３】
このとき、接続部５３に形成された開口部５４の幅、すなわちＸ方向の寸法が、載置台３２の幅よりも大きくなっていることから、載置台３２の幅と同程度の幅を有する長尺の試験片１００に対して硬さ試験を実行する場合においても、この試験片１００を開口部５４を通過させることにより、硬さ試験機の奥行き方向に設置することが可能となる。
また、この開口部５４の上端の位置は、圧子４１または対物レンズ４２、４３の下端部の位置よりも上となっていることから、試験片１００と圧子４１または対物レンズ４２、４３とが干渉することなく、長尺の試験片１００を硬さ試験機の奥行き方向に設置して硬さ試験を実行することが可能となる。
【００３４】
さらに、この開口部５４の下端の位置は、載置台３２が最も下降したときの載置台３２の上面の位置よりも下となっていることから、載置台３２の配置にかかわらず、長尺の試験片１００を硬さ試験機の奥行き方向に設置した状態で、硬さ試験を実行することが可能となる。
【００３５】
なお、上述した実施形態においては、接続部５３として、その形状が側面視において略Ｃ型の形状を有するものを使用している。これにより、載置部５２と圧痕観察部５１との間の試験空間を有効に利用することが可能となる。但し、接続部５３として、側面視において直線状の部材を使用してもよい。また、この接続部５３として、複数の支柱上の部材を使用することも可能である。試験片１００が通過可能な開口部が形成可能であれば、各種の形状の接続部を使用することができる。
【符号の説明】
【００３６】
３１      テーブル
３２      載置台
３３      マイクロメータ
３４      マイクロメータ
３５      昇降ハンドル
３６      接眼レンズ
３９      入力表示部
４０      レボルバー
４１      圧子
４２      対物レンズ
４３      対物レンズ
５１      圧痕観察部
５２      載置部
５３      接続部
５４      開口部
１００    試験片
【図１】
0003179445.tif 000003
【図２】
0003179445.tif 000004
【図３】
0003179445.tif 000005
【図４】
0003179445.tif 000006
【図５】
0003179445.tif 000007